(57)【要約】      （修正有）【課題】  ユーザが楽しく視聴できるコンテンツの再生順序技術を提供する。【解決手段】現在再生中の曲のキーワードを検出し、該キーワードと予めユーザが決めた再生に関する異なる複数のカテゴリとに基づいて次回再生する候補曲を複数メニュー提示する。第1候補曲が新たな現在再生中の曲になると、カテゴリ設定を変えない場合でも、前回の現在再生中の曲と現在再生中の曲とでは関連キーワードが異なることが一般である為、新たな現在再生中の曲に基づく次回再生候補曲は繰り上がりにならない可能性が高い。従って、ユーザによるある程度の制御下において、ある程度のランダム性を有する再生順序を得るようにする。【選択図】  図５
2005276311.tif 000002
【特許請求の範囲】
【請求項１】
複数のコンテンツを順次再生することができるコンテンツ再生装置であって、
コンテンツに関する複数の異なるカテゴリを設定するカテゴリ設定部と、
現在再生中のコンテンツに関連する関連情報を検出するコンテンツ関連情報取得部と、
前記コンテンツ関連情報に基づいて、複数の前記カテゴリのそれぞれに属するコンテンツを検索するコンテンツ検索部と、
該コンテンツ検索部により検索された複数のコンテンツの識別情報を次回再生候補コンテンツ情報として表示する再生候補コンテンツ情報表示部と
を有するコンテンツ再生装置。
【請求項２】
さらに、前記次回再生候補コンテンツ情報に基づいて特定のコンテンツを次回再生コンテンツとして選択するコンテンツ選択操作部を有することを特徴とする請求項１に記載のコンテンツ再生装置。
【請求項３】
前記コンテンツ選択操作部が前記再生候補コンテンツ情報表示部に設けられていることを特徴とする請求項２に記載のコンテンツ再生装置。
【請求項４】
前記コンテンツ検索部による検索期間は、前記現在再生中のコンテンツの再生開始時点から再生終了時点までの間であることを特徴とする請求項１から３までのいずれか１項に記載のコンテンツ再生装置。
【請求項５】
さらに、前記現在再生中のコンテンツ情報を表示するコンテンツ情報表示部を備え、前記再生候補コンテンツ情報表示部は、前記コンテンツ情報表示部に設けられていることを特徴とする請求項３又は４に記載のコンテンツ再生装置。
【請求項６】
さらに、前記コンテンツ検索部による検索のタイミングを特定する検索タイミング特定手段を有していることを特徴とする請求項１から５までのいずれか１項に記載のコンテンツ再生装置。
【請求項７】
さらに、コンテンツ再生装置に着脱可能に設けられ該コンテンツ再生装置を操作するリモートコントロール装置を備えており、前記再生候補コンテンツ情報表示部は該リモートコントロール装置に設けられていることを特徴とする請求項５又は６に記載のコンテンツ再生装置。
【請求項８】
前記検索タイミング特定手段が、前記該リモートコントロール装置に設けられていることを特徴とする請求項７に記載のコンテンツ再生装置。
【請求項９】
さらに、前記カテゴリ設定手段に設定されたカテゴリを変更するカテゴリ変更手段を有していることを特徴とする請求項１から８までのいずれか１項に記載のコンテンツ再生装置。
【請求項１０】
さらに、コンテンツを格納するコンテンツ格納部を有することを特徴とする請求項１から９までのいずれか１項に記載のコンテンツ再生装置。
【請求項１１】
さらに、コンテンツを格納するコンテンツサーバと接続する通信部を有することを特徴とする請求項１から９までのいずれか１項に記載のコンテンツ再生装置。
【請求項１２】
請求項１１に記載のコンテンツ再生装置を備えた携帯端末。
【請求項１３】
複数のコンテンツを順次再生することができるコンテンツ再生装置であって、
コンテンツに関する複数の異なるカテゴリを設定するカテゴリ設定部と、
現在再生中のコンテンツに関連する関連情報を検出するコンテンツ関連情報取得部と、
前記コンテンツ関連情報に基づいて、複数の前記カテゴリのそれぞれに属するコンテンツを検索するコンテンツ検索部を提供するサーバと接続する通信部と、
該コンテンツ検索部により検索された複数のコンテンツの識別情報を次回再生候補コンテンツ情報として表示する再生候補コンテンツ情報表示部と
を有するコンテンツ再生装置。
【請求項１４】
複数のコンテンツを順次再生することができるコンテンツ再生装置であって、コンテンツに関する複数の異なるカテゴリを設定するカテゴリ設定部と、現在再生中のコンテンツに関連する関連情報を検出するコンテンツ関連情報取得部と、前記コンテンツ関連情報に基づいて、複数の前記カテゴリのそれぞれに属するコンテンツを検索するコンテンツ検索部と、第１の通信部と、前記コンテンツ検索部により検索された複数のコンテンツの識別情報を次回再生候補コンテンツ情報として表示する再生候補コンテンツ情報表示部とを有するコンテンツ再生装置と、
コンテンツを提供するコンテンツサーバであって、前記第１の通信部との間の通信を行う第２の通信部と、コンテンツを格納するコンテンツ格納部と、を有するコンテンツサーバと
を有するコンテンツ再生システム。
【請求項１５】
複数のコンテンツを順次再生することができるコンテンツ再生装置であって、コンテンツに関する複数の異なるカテゴリを設定するカテゴリ設定部と、現在再生中のコンテンツに関連する関連情報を検出するコンテンツ関連情報取得部と、前記コンテンツ関連情報に基づいて、複数の前記カテゴリのそれぞれに属するコンテンツを検索するコンテンツ検索部を提供するサーバと接続する第１の通信部と、該コンテンツ検索部により検索された複数のコンテンツの識別情報を次回再生候補コンテンツ情報として表示する再生候補コンテンツ情報表示部とを有するコンテンツ再生装置と、
コンテンツを提供するコンテンツサーバであって、前記第１の通信部との間の通信を行う第２の通信部と、コンテンツを格納するコンテンツ格納部と、前記コンテンツ検索部と、を有するコンテンツサーバと
を有するコンテンツ再生システム。
【請求項１６】
複数のコンテンツを順次再生することができるコンテンツ再生装置に対してコンテンツを提供するコンテンツ提供サーバであって、
前記コンテンツ再生装置が現在再生中のコンテンツに関連するコンテンツ関連情報を取得し、該コンテンツ関連情報と、前記コンテンツ再生装置において設定されたコンテンツに関する複数の異なるカテゴリと、に基づいてそれぞれに属するコンテンツを検索するコンテンツ検索部と、
該コンテンツ検索部により検索された複数のコンテンツの識別情報を次回再生候補コンテンツ情報として前記コンテンツ再生装置に送る送信手段と
を有するコンテンツ提供サーバ。
【請求項１７】
複数のコンテンツを順次再生することができるコンテンツ再生装置であって、
現在再生中のコンテンツに関連する関連情報を検出するコンテンツ関連情報取得部と、
前記コンテンツ関連情報に基づいて、異なる複数の前記カテゴリのそれぞれに属するコンテンツを検索するコンテンツ検索部と、
該コンテンツ検索部により検索された複数のコンテンツの識別情報を次回再生候補コンテンツ情報として表示する再生候補コンテンツ情報表示部と
を有するコンテンツ再生装置。
【請求項１８】
複数のコンテンツを順次再生することができるコンテンツ再生装置におけるコンテンツ再生方法であって、
コンテンツに関する複数の異なるカテゴリを設定するカテゴリ設定ステップと、
現在再生中のコンテンツに関連する関連情報を検出するコンテンツ関連情報取得ステップと、
前記コンテンツ関連情報に基づいて、複数の前記カテゴリのそれぞれに属するコンテンツを検索するコンテンツ検索ステップと、
該コンテンツ検索ステップにより検索された複数のコンテンツの識別情報を次回再生候補コンテンツ情報として表示する再生候補コンテンツ情報表示ステップと
を有するコンテンツの再生方法。
【請求項１９】
さらに、前記次回再生候補コンテンツ情報に基づいて特定のコンテンツを次回再生コンテンツとして選択するコンテンツ選択操作ステップを有することを特徴とする請求項１８に記載のコンテンツ再生方法。
【請求項２０】
前記コンテンツ選択ステップにおける操作が前記現在再生中のコンテンツの再生終了までに実行されなかった場合は、前記次回再生候補コンテンツのうち直近に選択されたコンテンツの属するカテゴリに基づいて再生するコンテンツが決定されることを特徴とする請求項１８又は１９に記載のコンテンツ再生方法。
【請求項２１】
前記コンテンツ選択ステップにおける操作が前記現在再生中のコンテンツの再生終了までに実行された場合は、異なるコンテンツの属するカテゴリの優先順番である場合には該優先順番を、更新するとともに新たにコンテンツの属するカテゴリの優先順番が更新されるまで保持することを特徴とする請求項１８又は１９に記載のコンテンツ再生方法。
【請求項２２】
請求項１８から２１までのいずれか１項に記載のステップをＣＰＵに実行させるためのプログラム。
【発明の詳細な説明】
【技術分野】
【０００１】
本発明は、音楽コンテンツや映像コンテンツなどのコンテンツ再生装置に関し、特に、複数のコンテンツを連続再生可能なコンテンツ再生装置のグラフィックユーザーインターフェイス（以下「ＧＵＩ」と称する。）に関する。
【背景技術】
【０００２】
オーディオ機器などのコンテンツ再生装置において、操作のためのＧＵＩをテレビに出力しテレビ画面に表示させる機能を備えたオーディオ記録再生装置が知られている。このオーディオ記録再生装置においては、音楽再生の時には、アルバムなどのＣＤ提供者側で予め編成された曲順又はユーザのお気に入りの曲をユーザが予め編集したプレイリスト順に、タイトル名を画面に表示させ、順番に再生していた。或いは、編成順以外での再生方法としては、特に再生したい曲がある場合には、ユーザがその中から再生したい音楽をボタンで選択して再生していた。また、音楽が予め編成されていない場合には、オーディオ記録再生装置が再生する音楽を適当に決めて再生していくランダム再生が行われる（例えば、特許文献１参照）。
【特許文献１】特開平１１−１０４７５７号公報
【発明の開示】
【発明が解決しようとする課題】
【０００３】
上記特許文献１に記載の技術に示されるように、音楽の再生に関しては、予め編成された順番に再生するか機器に任せてランダムに再生していた。そのため、再生する順番が限られるため飽きやすくなりがちであり、或いは、意図しない音楽が選択されることにより期待外れになるという問題があった。一方、音楽がランダムに再生される場合には、現在再生中の音楽の再生が終了した後に、機器により決定された次に再生する音楽に関して報知され再生が始まるため、その曲がそぐわない曲の場合に失望することがあった。
【０００４】
本発明は、コンテンツの再生順序に関して、飽きの来ないようにして、ユーザが楽しく視聴できるようにする技術を提供することを目的とする。
【課題を解決するための手段】
【０００５】
オーディオ再生装置において、現在再生中の曲に関連するキーワードを抽出し、このキーワードと、予めユーザにより決められた再生に関する異なる複数のカテゴリと、に基づいて、次回再生する候補曲を複数提示することにより、定型的な再生順序によらない再生音楽を楽しむことができる。複数のカテゴリをユーザが設定できること、この複数のカテゴリの中からユーザが視聴したいカテゴリに属する候補曲を次回再生するように操作できること、現在再生中の期間内に、かつ、現在再生中の曲に基づいて上記カテゴリ毎にそれぞれの候補曲が提示されることに、ユーザは現在再生中の曲を視聴している間に次の候補曲を選択することができる。
【０００６】
次に再生する音楽を表示する領域を設けて、今の音楽が再生し終わる前に、次に再生する音楽の候補を表示する。詳しくは、再生している曲のタイトル名やアーティスト名などの現在再生している音楽のキーワードを検出するキーワード抽出部分と、キーワード抽出部分が抽出したキーワードに基づく検索エンジンが検索を行い、検索エンジンの検索結果を、ＧＵＩの次に再生する音楽を表示する領域にメニューで表示する。複数の再生候補曲をメニュー表示し、操作キーで選択して次に再生する曲を決定する。操作キーによる選択が何ら行われない場合には、第１候補曲が自動的に再生される。
【０００７】
第１候補曲が新たな現在再生中の曲になると、カテゴリ設定を変えない場合でも、前回の現在再生中の曲と新たな現在再生中の曲とでは抽出される関連キーワードが異なることが一般的であり、そのため、新たな現在再生中の曲に基づく次回再生候補曲は繰り上がりにはならない可能性が高い。従って、ユーザによるある程度の制御下において、ある程度のランダム性を有する再生順序を得ることができる。
【発明の効果】
【０００８】
本発明によれば、コンテンツを視聴する際において、有る程度のユーザの意図を反映しつつコンテンツの再生順序が定型的にならないようにすることができ、飽きの来ない視聴を楽しむことができる。
【発明を実施するための最良の形態】
【０００９】
本発明の実施の形態によるコンテンツ再生装置について、図面を参照しつつ説明を行う。図１（Ａ）は、本発明の第１の実施の形態によるコンテンツ再生装置であって、一例としてオーディオ再生装置の構成を示す機能ブロック図である。図１（Ｂ）は、オーディオ再生装置の簡略化した正面図である。図１（Ａ）及び図１（Ｂ）に示すように、本実施の形態によるオーディオ再生装置Ａは、バスラインＢＬに接続された各機能ブロックにより構成されている。各機能ブロックは、ＣＰＵ１と、ＲＡＭ（主記憶装置）２と、音楽データを記憶するハードディスクユニット（データ格納装置）３と、液晶ディスプレイ（表示装置）４と、各種機能を発揮するためのプログラム５ａを格納するＲＯＭ（不揮発性メモリ）５と、アンプユニット７と、操作キー８と、再生された音楽を出力するスピーカ６と、を有している。符号Ｂは液晶ディスプレイ４とイヤホン（或いはスピーカ）６とを除く各種機能ブロックを示し、オーディオ再生装置Ａの内部に格納されている。プログラム５ａは、液晶ディスプレイ４にグラフィックユーザーインターフェイス（ＧＵＩ）を表示させるためのＧＵＩ部と、後述する検索エンジン部と、キーワード取得部と、アンプ制御部と、表示制御部と、ハードディスクドライブ制御部と、キー検出部と、を有している。
【００１０】
次に、上記オーディオ再生装置Ａの動作について図２から図４までを参照して説明する。適宜図１も参照する。図２〜図４までは、本実施の形態によるオーディオ再生装置における処理の流れを示すフローチャート図である。まず、ステップＳ１において処理を開始し（Ｓｔａｒｔ）、ステップＳ２において指定された曲の再生を開始する。次にステップＳ３に移る。ここで、まず、ステップＳ１１においてステップＳ３の処理に入り、ステップＳ１２において、再生する曲のカテゴリキーワードなどの関連情報を取得する。ここで、カテゴリとは、曲を同じアーティストやアルバムなど異なる切り口で切り分けた曲の分類のためのインデックスである。カテゴリキーワードとは、かかるカテゴリを示す代表的な単語である。その他のキーワードなどの関連情報を取得しても良い。ステップＳ１３において、ステップＳ１２で取得したカテゴリキーワードを検索エンジン（図１：５ａ）に入力する。ステップＳ１４において検索結果を得ると、ステップＳ１５において、検索結果として得られた曲名を予め優先度が決められたカテゴリ順に整列表示し、図３に示す処理から出る（ステップＳ１６）。
【００１１】
次いで、ステップＳ４においてユーザにより処理の停止操作がなされたか否かを判定し、停止操作が成された場合には、ステップＳ５に進み処理を終了する。停止操作がなされていない場合には、ステップＳ６に進み、後述する曲候補を標示するお勧め領域から曲選択操作がされたか否かを判定する。曲選択操作がなされていない場合にはステップＳ８に進み、現在再生中の曲が終了していなければステップＳ４に戻り、現在再生中の曲が終了していればステップＳ２に戻る。曲選択操作がなされている場合には、ステップＳ７に進む。ステップＳ７においては、ステップＳ２１で処理に入り、ステップＳ２２において、選択は同じカテゴリであるか否かを判定する。異なるカテゴリである場合にはステップＳ２３に進み選択された、異なるカテゴリを記憶する。同じカテゴリの場合には、そのままステップＳ２４において処理を抜けてステップＳ２に戻る。以上の処理により、順次、曲が選択され新たな曲が再生される。
【００１２】
図５は、液晶ディスプレイ４の表示例を示す図である。符号２３ａに示す領域（お勧め領域、すなわち、次回再生候補曲表示領域）に、現在再生中の曲名ＡＡＡＡと、再生開始からの経過時間２分３４秒とが表示されている。また、領域２５ａには、次回再生の第１候補曲２５−１ａ（ＡＢＣＤ）と、第２候補曲２５−２ａ（ＢＣＤＥ）と、第３候補曲２５−３ａ（ＣＤＥＦ）と、が表示されている。符号２５ａで示される領域は、現在の再生曲ＡＡＡＡに対する関連の曲を表示する領域である。表示される曲は、複数のカテゴリのお勧めを、例えばそれぞれ１曲づつ表示する。複数のカテゴリとは、ある曲に関して、アーティストやアルバムなど異なる切り口で切り分けた種別である。
【００１３】
現在再生中の曲が変われば、次回再生候補曲表示領域２５ａに表示する曲も変わる。また、同じ曲でも再生する度に、次回再生候補曲表示領域２５ａに表示される曲は変わるようにする。候補曲の選択基準としては、例えば、第１候補曲２５−１ａは現在再生している曲と同じアーティストの曲をハードディスクからランダムに選択した曲であり、第２候補曲２５−２ａは現在再生している曲と同じアルバムの曲をハードディスクからランダムに選択した曲であり、第３候補曲２５−３ａは、選択条件はなしにハードディスクからランダムに選択した曲を、それぞれ１曲づつ、合わせて３曲表示するようにする。
【００１４】
次回再生候補曲表示領域２５ａに表示する順番については、基本的に、ユーザが１つ前に選択したカテゴリが１番目にくるように入れ替える。現在再生中の曲が終われば、特にユーザからの特定の操作がない限り、オーディオ装置は１番目に表示されている曲を自動的に選択して再生する。例えば、カテゴリとして“同じアーティスト”を選んだ場合においてそのままにしておくと、同じアーティストの曲をランダムで選曲しながら次々と再生することになる。その後、“同じアルバム”を選んだ場合は、同じアルバムの曲をランダムで選曲しながら次々と再生するように変化する。カテゴリは、アルバムとアーティストとに関連して決められる例について説明したが、他のカテゴリを選択できるようにしても良い。例えば、最近のヒット曲、数年前のヒット曲、１９９７年のヒット曲などである。
【００１５】
白抜きの矢印で示したように、図５の現在再生中の曲がＡＡＡＡから第１候補曲のＡＢＣＤになった場合（再生開始から１秒後の表示例を示している。）には、第１候補曲表示領域２５−１ｂから第３候補曲表示領域２５−３ｂまでに表示される曲は、現在再生中の曲がＡＡＡＡからＡＢＣＤに変わったことにより、第１候補曲表示領域２５−１ｂから第３候補曲表示領域２５−３ｂまでに表示される曲が全て変化している。これは、第１候補曲表示領域２５−１ｂから第３候補曲表示領域２５−３ｂまでに表示される曲が、現在再生中の曲と、ユーザが選択したカテゴリと、の両方に基づいて選択されるからである。すなわち、現在再生中の曲が変われば、図５に左側に表示されていた第２候補曲、第３候補曲が順次繰り上がるわけではない。尚、関連の曲をお勧め領域に表示するタイミングは、再生が開始された後であるのが好ましく少なくとも終わる前である。
【００１６】
以上説明したように、本実施の形態によるコンテンツ再生装置では、コンテンツを連続的に再生する際に、多数の曲の中から次に再生される候補曲を、現在再生中の曲とユーザが選択した複数のカテゴリとに基づいて決めるように構成したため、次に再生される曲に関してある程度の方向性を持たせつつ、変化を持たせることもできるため、飽きのこない再生を行うことができる。尚、本実施の形態においては、曲の再生について説明したが、例えば曲の記録に関する選択に関しても同様である。また、表示する曲についての変形例としては、１つのカテゴリのお勧め曲を複数表示するようにしても良い。例えば、同じアーティストのランダムに選んだ曲を３曲表示することも可能である。
【００１７】
次に、本発明の第２の実施の形態によるオーディオ再生装置について図面を参照しつつ説明を行う。図６は、本発明の第２の実施の形態によるオーディオ再生装置の構成例を示す機能ブロック図である。併せて、音楽配信サーバ側の構成例を示している。図６に示すオーディオ再生装置は、図１に示すオーディオ再生装置と異なり、大量の曲を保存できるハードディスクユニット３の代わりに、無線通信部９を有している。小容量のメモリカード３ａ用のスロットを有していても良い。一方、音楽配信サーバ１１は、通信部１５と、データベース部１７であって検索エンジン１７ａと音楽データ記憶部１７ｂとを含むデータベース部を有している。すなわち、本実施の形態によるシステムでは、検索エンジンと曲の実体は、オーディオ再生装置とは別のインターネット上のサーバ１１（検索サーバと曲の実態のサーバ）内にあり、オーディオ再生装置が現在再生している曲の情報に基づいて、検索サーバ１１が検索を行い、オーディオ再生装置にタイトル情報を送信し、オーディオ再生装置のお勧め曲領域に表示される。１つの曲が選択された場合、そのリクエストが曲の実態のサーバに送信され、選択された曲のストリーミング再生が始まる。オーディオ再生装置には、例えばＨＴＭＬブラウザが搭載され、サーバ１１は検索結果をＨＴＭＬデータ化して、オーディオ再生装置がブラウジング処理を行い表示される。現在再生している曲の情報と検索結果のＨＴＭＬデータは、例えばＨＴＴＰプロトコル上でやりとりされる。
【００１８】
上記システムによれば、検索エンジンと大量の曲の保存領域はオーディオ再生装置外に持たせることができるため、特にモバイル向けのオーディオ再生装置に適している。尚、本実施の形態によるオーディオ再生装置は、例えば音楽再生機能を有する携帯電話機であっても良い。
【００１９】
次に、本発明の第３の実施の形態によるオーディオ再生装置について図面を参照しつつ説明を行う。図７は、本実施の形態によるオーディオ再生装置の構成例を示す機能ブロック図である。併せて、配信サーバ側の構成例を示している。図７に示すオーディオ再生装置は、図１に示すオーディオ再生装置と同様に曲を保存するハードディスクユニット３を保持しているとともに、無線通信部９をも有している。一方、配信サーバ２１は、通信部２５と、検索エンジン２８を有している。すなわち、本実施の形態によるシステムでは、検索エンジンは、オーディオ再生装置とは別のインターネット上のサーバ２１内にあり、オーディオ再生装置が現在再生している曲の情報に基づいて、検索エンジン２８が検索を行い、オーディオ再生装置に対してお勧め曲領域に表示される候補曲を提示する仕組みになっている。検索エンジン２８はオーディオ再生装置の内部にある曲の一覧を知っており、オーディオ再生装置が現在再生している曲の情報をもとに、検索エンジン２８がオーディオ装置の内部にある曲の中から検索を行い、オーディオ装置にタイトル情報を送信し、オーディオ再生装置のお勧め曲表示領域に表示される。通信は、ＨＴＴＰプロトコルでオーディオ装置の内部にある曲の一覧や検索結果のタイトル情報がやりとりされる。
【００２０】
本実施の形態によるオーディオ再生システムによれば、検索エンジンと大量の曲の保存領域はオーディオ再生装置外に持たせることができるため、検索エンジンを本体とは異なるサーバに持たせることによりオーディオ再生装置の簡略化が可能になる。
【００２１】
次に、本発明の第４の実施の形態によるオーディオ再生装置について図面を参照しつつ説明を行う。図８は、本実施の形態によるオーディオ再生装置を含むシステムの構成例を示す図である。図８に示すように、本実施の形態によるオーディオ再生システムは、ＬＣＤ表示部３３を含むオーディオ再生装置（ＭＤプレーヤ）３１と、オーディオ再生装置３１のイヤホンジャックにコード３７の一端を取り付け可能なリモートコントロール装置３５付属のイヤホン３８と、を有している。本実施の形態によるオーディオ再生システムにおいては、オーディオ再生システム３１に設けられた第１のＬＣＤ表示部３３は、現在の再生曲などを表示する。一方、現在再生中の曲に関連する候補曲は、リモートコントロール装置３５に設けられた第２のＬＣＤ表示部３５ａに表示され、第２のＬＣＤ表示部３５ａは、再生情報を表示する第１のＬＣＤ表示部３３とは別になっている。すなわち、再生情報はオーディオ装置本体側において再生され、関連の候補曲などを表示する領域はリモートコントロール装置３５などの別の表示領域に表示される。このようにすることにより、曲の選択をユーザがハンドリングしやすいリモートコントロール装置３５により確認しながら必要なキー操作を行うことができる。従って、モバイル用途の場合に特に使いやすいという利点がある。
【００２２】
尚、第２のＬＣＤ表示部３５ａに次回再生候補曲として表示される曲は、現在再生中の曲中のフレーズやリズム、歌詞中のキーワードとなる単語など、曲を再生している途中のリアルタイムな曲情報に基づいて選択されるようにすることも可能である。例えば、現在再生中の曲を視聴している最中に、ユーザが気に入った箇所でリモートコントロール装置３５に設けられた検索ボタン３５ｂを押すと、その箇所に関連する情報に対する検索が行われ結果の曲を表示するようにしても良い。このように、リアルタイムな検索を行い、結果の曲から選曲するユーザインターフェースを生成することができる。
【００２３】
以上、本発明について、各実施の形態においてＭＤプレーヤなどのオーディオ再生装置を例にして説明したが、オーディオ装置としては、ポータブルプレーヤ（持ち歩く使い方のオーディオ装置）、コンポ（据え置きの使い方のオーディオ装置）、記憶装置やネット機能、本プログラムを実行できるＣＰＵとメモリ、表示する画面を搭載した携帯電話やＰＤＡなどに適用可能であることは言うまでもない。また、本発明は、オーディオ以外の各種コンテンツの再生装置にも適用可能である。例えば、映像コンテンツに関しては、映像に関するカテゴリ、例えば、監督が同じ、同じシリーズ、主演者が同じなどのカテゴリをユーザが選択して次回再生候補のコンテンツを表示するようにしても良い。また、オーディオの記録、映像の録画などに関しても、再生と同様の考えに基づいて記録・録画候補を提示することができる。
【産業上の利用可能性】
【００２４】
本発明は、オーディオ以外の各種コンテンツの再生装置と、これを実現するためのプログラム、制御回路、などとして利用することが可能である。
【図面の簡単な説明】
【００２５】
【図１】図１（Ａ）は、本発明の第１の実施の形態によるコンテンツ再生装置であって、一例としてオーディオ再生装置の構成を示す機能ブロック図である。図１（Ｂ）は、オーディオ再生装置の簡略化した正面図である。
【図２】本実施の形態によるオーディオ再生装置における処理の流れを示すフローチャート図である。
【図３】本実施の形態によるオーディオ再生装置における処理の流れを示すフローチャート図である。
【図４】本実施の形態によるオーディオ再生装置における処理の流れを示すフローチャート図である。
【図５】次回再生候補の表示例を示す図である。
【図６】本発明の第２の実施の形態によるオーディオ再生装置の構成例を示す機能ブロック図である。併せて、音楽配信サーバ側の構成例を示している。
【図７】本発明の第３の実施の形態によるオーディオ再生装置の構成例を示す機能ブロック図である。
【図８】図８は、本実施の形態によるオーディオ再生装置を含むシステムの構成例を示す図である。
【符号の説明】
【００２６】
Ａ…オーディオ再生装置、ＢＬ…バスライン、１…ＣＰＵ、２…ＲＡＭ（主記憶装置）、３…ハードディスクユニット（データ格納装置）、４…液晶ディスプレイ（表示装置）、５…不揮発メモリ、６…スピーカ、７…アンプユニット、８…操作キー、５ａ…プログラム（ＧＵＩ部、検索エンジン部、キーワード取得部、アンプ制御部、表示制御部、ハードディスクドライブ制御部、キー検出部）。
【図１】
2005276311.tif 000003
【図２】
2005276311.tif 000004
【図３】
2005276311.tif 000005
【図４】
2005276311.tif 000006
【図５】
2005276311.tif 000007
【図６】
2005276311.tif 000008
【図７】
2005276311.tif 000009
【図８】
2005276311.tif 000010